(57)【要約】【課題】従来の撮影システムでは、カメラレコーダを自由に移動させようとしてタイムコードを伝送しているケーブルを外してしまうと、それ以降はカメラレコーダ間でタイムコードが合わなくなってしまうという課題を有していた。【解決手段】基準のタイムコードを発生させるマスターカメラと、マスターカメラによってタイムコードを制御されるスレーブカメラとを用いて、撮影開始時にスレーブカメラのタイムコードをマスターカメラから伝送されたタイムコードに書き換えると共にこのタイムコードを記憶しておく。撮影後に記憶しておいたタイムコードを元に各スレーブカメラのタイムコードを補正する構成とする。【選択図】図５
2006311039.tif 000002
【特許請求の範囲】
【請求項１】
マスターカメラ及び少なくとも１台のスレーブカメラを備えた撮影システムであって、
前記マスターカメラは、タイムコードを生成するタイムコード生成手段と、
前記タイムコード生成手段が生成した前記タイムコードを保持及び更新する第１のタイムコード更新手段と、
開始タイムコードを記憶する第１のタイムコード記憶手段と、
外部からのタイムコード書き換え指示を受け付ける入力部と、
外部と信号を送受信する第１の通信部と、
前記入力部がタイムコード書き換え指示を入力されたことを認識すると、前記第１のタイムコード更新手段が保持するタイムコードと共に前記タイムコード書き換え指示を前記第１の通信部から送信し、前記第１のタイムコード記憶手段に前記タイムコードを前記開始タイムコードとして記憶させる制御部とを有し、
前記スレーブカメラは、
タイムコードを保持及び更新する第２のタイムコード更新手段と、
前記開始タイムコードを記憶する第２のタイムコード記憶手段と、
外部から前記タイムコード書き換え指示及び前記タイムコードを受信する第２の通信部と、
前記第２の通信部が前記タイムコード書き換え指示を受信したときに前記第２のタイムコード更新手段が保持するタイムコードを前記タイムコードに書き換えると共に前記第２のタイムコード記憶手段に前記タイムコードを前記開始タイムコードとして記憶させるタイムコード書き換え手段とを有した撮影システム。
【請求項２】
前記マスターカメラ及び前記スレーブカメラを接続し、前記マスターカメラ及び前記スレーブカメラで撮影した映像を編集する編集装置をさらに備え、
前記編集装置は、所定のタイミングで前記マスターカメラの前記第１のタイムコード更新手段及び前記スレーブカメラの前記第２のタイムコード更新手段から同時にタイムコードを読み出して終了タイムコードとして記憶すると共に前記マスターカメラの前記第１のタイムコード記憶手段及び前記スレーブカメラの前記第２のタイムコード記憶手段から前記開始タイムコードを読み出して記憶する一時記憶手段と、
外部から指定されたタイムコードを前記開始タイムコード及び前記終了タイムコードに基づいて補正する演算処理部とを備えた請求項１記載の撮影システム。
【発明の詳細な説明】
【技術分野】
【０００１】
本発明は、カメラレコーダを複数備え、これらカメラレコーダで撮影した映像間で内部のタイムコードを補正して一致させることが可能な撮影システムに関する。
【背景技術】
【０００２】
従来、基準となるタイムコードを発生するマスターカメラと、マスターカメラが発生するタイムコードをケーブル経由で受信し、これに同期して撮影を行う複数のスレーブカメラとを備え、これらのカメラレコーダを用いてマスターカメラのタイムコードで撮影するシステムが開発されている。この技術は特許文献１等で公知である。
【特許文献１】特開２００３−３０９７５９号公報
【発明の開示】
【発明が解決しようとする課題】
【０００３】
この従来の撮影システムでは、カメラレコーダを自由に移動させようとしてタイムコードを伝送しているケーブルを外してしまうと、それ以後はそのカメラレコーダ内部でタイムコードを生成して撮影した映像に付加していくことになるため、時間が経過すると次第にカメラレコーダ間でタイムコードが合わなくなっていくという課題があった。
【０００４】
これを防ぐためには、全てのカメラレコーダが同一のタイムコードで撮影をするために、常にマスターカメラからタイムコードを伝送するためのケーブルを接続したままにしておく必要があり、各カメラレコーダの機動性が悪化してしまうという課題があった。
【０００５】
したがって、本発明の主たる目的は、カメラレコーダの機動性を損なうことなく、複数のカメラレコーダで撮影した映像を同じタイムコードで扱うことができる撮影システムを提供することである。
【課題を解決するための手段】
【０００６】
上記課題を解決するために本発明の撮影システムは、マスターカメラ及び少なくとも１台のスレーブカメラを備えた撮影システムであって、マスターカメラは、タイムコードを生成するタイムコード生成手段と、タイムコード生成手段が生成したタイムコードを保持及び更新する第１のタイムコード更新手段と、タイムコードを記憶する第１のタイムコード記憶手段と、外部からのタイムコード書き換え指示を受け付ける入力部と、外部と信号を送受信する第１の通信部と、入力部がタイムコード書き換え指示を入力されたことを認識すると、第１のタイムコード更新手段が保持するタイムコードと共にタイムコード書き換え指示を第１の通信部から送信し、第１のタイムコード記憶手段にタイムコードを開始タイムコードとして記憶させる制御部とを有し、スレーブカメラは、タイムコードを保持及び更新する第２のタイムコード更新手段と、開始タイムコードを記憶する第２のタイムコード記憶手段と、外部からのタイムコード書き換え指示及びタイムコードを受信する第２の通信部と、第２の通信部がタイムコード書き換え指示を受信したときに第２のタイムコード更新手段が保持するタイムコードをタイムコードに書き換えると共に第２のタイムコード記憶手段にタイムコードを開始タイムコードとして記憶させるタイムコード書き換え手段とを有している。
【発明の効果】
【０００７】
本発明によれば、撮影システム全体の各カメラレコーダが、撮影時にはケーブルで接続される必要がないために機動性を損なうことがない。また、スレーブカメラのタイムコードを各カメラレコーダが保持している開始タイムコードを用いて撮影後に補正することにより、マスターカメラが発生させたタイムコードに対応した映像を得ることができるため、複数のカメラレコーダで撮影した映像を同じタイムコードで扱うことが可能となり、編集工程での作業が容易になる。
【発明を実施するための最良の形態】
【０００８】
以下、本発明を実施するための形態について、図面を参照しながら説明する。
【０００９】
はじめに、本発明の撮影システムの概略構成について説明する。図１は、本発明の実施の形態における撮影システムの構成図である。図１は、マスターカメラ１０１と複数のスレーブカメラ１０２とがケーブル１０３で接続されており、各スレーブカメラ１０２がケーブル１０３を切り離して撮影を行う前の状態を示している。なお、本実施の形態では、マスターカメラ１０１及びスレーブカメラ１０２を総称してカメラレコーダと呼ぶ。マスターカメラ１０１で基準となるタイムコードが生成され、そのタイムコードは、例えばＩＥＥＥ１３９４やＵＳＢのようなケーブル１０３を用いて複数のスレーブカメラ１０２に伝送される。スレーブカメラ１０２にケーブル１０３が接続されてマスターカメラ１０１で生成されたタイムコードが入力され続けている状態で、スレーブカメラ１０２に対して入力部としてのタイムコード書き換えボタン３０４が押下されると、全カメラレコーダのタイムコードがこのタイムコード、すなわちボタン３０４が押下された時にマスターカメラ１０１で生成されたタイムコードに書き換えられる。ケーブル１０３をスレーブカメラ１０２から切り離すと、その後は引き続きスレーブカメラ１０２内部でタイムコードが更新され続ける。一度このようにしてタイムコードを伝送しておくことにより、その後はケーブル１０３を外して各カメラレコーダを屋外に持ち出して撮影をしたとしても、撮影システムの各カメラレコーダが略同一のタイムコードで撮影できる。そして、撮影終了後に再びケーブル１０３を接続し、図１のようなシステムを再構築することで、タイムコードの差異が生じていた場合それを補正することができる。
【００１０】
次に、図2及び図3を用いて、マスターカメラ１０１及びスレーブカメラ１０２の構成について説明する。図2は、本実施の形態における撮影システムのマスターカメラ１０１がタイムコードを生成して外部に伝送するための構成を示した図である。マスターカメラ１０１は通信部２０１と、制御部２０２と、タイムコード処理部２０３とを有している。タイムコード処理部２０３内部のタイムコード生成手段２０４で基準となるタイムコードを生成し、制御部２０２がタイムコード処理部２０３で生成されたタイムコードを送信する指示を出すことで、通信部２０１からタイムコードが伝送される。通信部２０１はケーブル１０３を用いてスレーブカメラ１０２へタイムコードが含まれた信号を送信する。マスターカメラ１０１内部では、タイムコード更新手段２０５によってタイムコード生成手段２０４が生成したタイムコードを保持及び更新している。
【００１１】
図3は、本実施の形態における撮影システムのスレーブカメラ１０２がタイムコードを受信して処理するための構成を示した図である。マスターカメラ１０１で生成された基準となるタイムコードが含まれている信号が、ケーブル１０３を使って伝送される。スレーブカメラ１０２内部の通信部３０１は、ケーブル１０３を伝送されてきた信号からタイムコードを抽出する。一方、スレーブカメラ１０２に対してタイムコード書き換えボタン３０４が押下されたことをタイムコード書き換え指示部３０３が認識すると、タイムコード書き換え指示部３０３がタイムコード処理部３０２に対してタイムコードを書き換える指示を送信すると共に、通信部３０１を用いて他のスレーブカメラ１０２に対してタイムコードを書き換える指示を送信する。ここで言うタイムコード書き換え指示部３０３は、例えば制御部としてのマイコン等で構成できるものである。タイムコード処理部３０２内のタイムコード書き換え手段３０５はタイムコードを書き換える指示をタイムコード書き換え指示部３０３から受信すると、タイムコード更新手段３０６が保持しているタイムコードを、通信部３０１が受信したマスターカメラ１０１の基準となるタイムコードに書き換える。また、タイムコード処理部３０２内部のタイムコード記憶手段３０７に、書き換えられた瞬間のマスターカメラ１０１から受信したタイムコードが開始タイムコードとして記憶される。
【００１２】
他のスレーブカメラ１０２は、通信部３０１でタイムコード書き換え指示をマスターカメラ１０１経由で受信したことをタイムコード書き換え手段３０５が認識すると、同様にタイムコード書き換え手段３０５が内部のタイムコードをマスターカメラ１０１からのタイムコードに書き換えると共に、そのタイムコードを開始タイムコードとしてタイムコード記憶手段３０７に記憶する。マスターカメラ１０１は、通信部２０１でタイムコードを書き換える指示を受信すると、現在のタイムコードを開始タイムコードとしてタイムコード記憶手段２０６に記憶する。
【００１３】
このタイムコード記憶手段３０７に記憶されたタイムコードは後述する編集の際に用いられる。スレーブカメラ１０２内部では、書き換えられたタイムコードをタイムコード処理部３０２内にあるタイムコード更新手段３０６により引き続き更新することができるため、本システムの各カメラレコーダが略同一のタイムコードで撮影をすることが可能となる。
【００１４】
本実施の形態では、スレーブカメラ１０２がタイムコード書き換えボタン３０４を備え、このボタンを押すことで各カメラレコーダのタイムコードが書き換えられるとしたが、マスターカメラにこのボタンを備えるような構成としてもよい。すなわち、マスターカメラ１０１がタイムコード書き換えボタン３０４を有し、制御部２０２が、タイムコード書き換えボタン３０４を押されることによりタイムコード書き換え指示を入力されたことを認識すると、タイムコード更新手段２０５が保持するタイムコードを開始タイムコードとしてタイムコード書き換え指示と共に通信部２０１から送信し、タイムコード記憶手段２０６に開始タイムコードを記憶させる。また、すべてのスレーブカメラ１０２において、タイムコード書き換え手段３０５は、通信部３０１がタイムコード書き換え指示を受信したときに、タイムコード更新手段３０６が保持するタイムコードをマスターカメラから受信したタイムコードに書き換えると共に、タイムコード記憶手段３０７にこのタイムコードを開始タイムコードとして記憶させる。
【００１５】
次に、本実施の形態において、図１のようなシステムを構築した後にケーブル１０３を外して各カメラレコーダにて撮影を行い、撮影終了後に再び図１のようなシステムを構築することで、タイムコードの差異が生じていた場合に、記憶しておいた開始タイムコードを元にそれを補正するシステムを説明する。
【００１６】
まず、撮影前にマスターカメラ１０１とスレーブカメラ１０２とをケーブル１０３で接続した場合、ケーブル１０３を介してマスターカメラ１０１からスレーブカメラ１０２に流れているデータはタイムコードの他に音声信号、映像信号等である。タイムコード書き換えボタン３０４が押下されると、タイムコード書き換え指示部３０３がタイムコード処理部３０２に対してタイムコードを書き換える指示を送信する。すると、タイムコード処理部３０２はケーブル１０３から流れてきたデータの中からタイムコードを参照し、タイムコード処理部３０２内のタイムコード更新手段３０６を用いて更新されているスレーブカメラ自身のタイムコードを、タイムコード書き換え手段３０５を利用して送信されてきたマスターカメラ１０１のタイムコードに書き換える。こうすることでマスターカメラ１０１のタイムコードとスレーブカメラ１０２のタイムコードとが揃うことは前述の通りである。その後、ケーブル１０３を取り外し、各カメラレコーダが撮影を行う。
【００１７】
以下に、撮影終了後の各カメラレコーダのタイムコードに差異が生じていた場合にタイムコード補正処理を行う方法を、カメラレコーダＡ、Ｂ、Ｃ、Ｍの４台からなる撮影システムを例に図４、５を用いて説明する。ここで言うタイムコード補正処理とは、撮影システムの各カメラレコーダで撮影した映像を用いて、タイムコードが連続した１つの映像を編集する場合に、各カメラレコーダ間でタイムコードが異なっていたときに、マスターカメラ１０１のタイムコードを基準として各スレーブカメラ１０２で撮影した映像のタイムコードを補正する処理を指す。この処理により、複数の映像をマスターカメラ１０１のタイムコードを基準に編集することができる。
【００１８】
図４は４台のカメラレコーダを用いた撮影システムを用いて、ある一定時間の撮影をした場合のタイムコードの変化を示している。図中のＭはマスターカメラ１０１を、Ａ、Ｂ及びＣはスレーブカメラ１０２を表している。ケーブル１０３を用いてＡ、Ｂ、ＣのタイムコードをＭのタイムコードに揃えたあと、ケーブルを外して撮影を開始する。そのときの各カメラレコーダのタイムコードを開始タイムコードＭ０、ａ０、ｂ０、ｃ０とし、撮影終了後に各カメラレコーダを図5のように接続し、タイムコード補正処理を開始した時の各カメラレコーダのタイムコードを終了タイムコードａｅ、ｂｅ、ｃｅ、Ｍｅとする。ここで、各スレーブカメラ１０２のタイムコードを基準のタイムコードに書き換えた瞬間はタイムコードが同期しているため、ａ０＝ｂ０＝ｃ０である。また、スレーブカメラ１０２のタイムコードはマスターカメラ１０１のタイムコードで揃えるように処理しているため、ａ０＝ｂ０＝ｃ０＝Ｍ０が成り立つ。ここで、タイムコード補正処理を開始するタイミングはすべてのスレーブカメラ１０２で同時であるが、各スレーブカメラ１０２は独立してタイムコードを更新しているため、ａｅ、ｂｅ、ｃｅ、Ｍｅは互いに異なっている可能性がある。ここで、カメラレコーダＭのタイムコードがＭｓのときカメラレコーダＡのタイムコードをａｓとすると、ａｓは
（Ｍｅ−Ｍ０）：（Ｍｓ−Ｍ０）＝（ａｅ−ａ０）：（ａｓ−ａ０）    （式１）
を満たすと考えられる。したがって、この式からａｓを求めることが可能である。同様に、カメラレコーダＢの場合は式１においてａｅ、ａｓ、ａ０をそれぞれｂｅ、ｂｓ、ｂ０と置き換え、カメラレコーダＣの場合は同様にｃｅ、ｃｓ、ｃ０と置き換えることでカメラレコーダMのタイムコードがＭｓのときのタイムコードを各々調べることが可能である。ここで、各カメラレコーダのタイムコードをマスターカメラ１０１のタイムコードに書き換えたときのタイムコードＭ０、ａ０、ｂ０、ｃ０はそれぞれのカメラレコーダ内部のタイムコード記憶手段２０６、３０７に記憶している。なお、このタイムコード記憶手段２０６，３０７に記憶されている書き換えられた瞬間のタイムコードはいずれか1台以上のスレーブカメラ１０２で記憶していれば良い。このことは書き換えられた瞬間のタイムコードがａ０＝ｂ０＝ｃ０＝Ｍ０であることから明らかである。
【００１９】
図５は図４で示した４台のカメラレコーダで撮影した映像を編集する場合の構成を示している。編集装置４０１は内部に補正処理の指示を行う機能を有するマイコン等の操作制御部４０２と、操作制御部４０２の指示を受けて実際に前述の（式１）の演算を行うことのできる演算処理部４０３と、演算処理を行い補正された映像を記憶するハードディスク等の記憶装置４０４とを備えている。演算処理部４０３は、演算するデータを一時的に保持しておく一時記憶手段としてのメモリを備えている。この編集装置４０１は、ＰＣ等で構成することが可能である。
【００２０】
例えば、カメラレコーダＭをマスターカメラとし、撮影した映像をＶＭとする。また、その他のＡ、Ｂ、Ｃをスレーブカメラとし、撮影した映像をそれぞれＶａ、Ｖｂ、Ｖｃとする。各カメラレコーダを編集装置４０１に接続し、ユーザが編集装置４０１の入力部（図示せず）に指示を出すことにより編集を開始したときの各カメラレコーダのタイムコードをそれぞれａｅ、ｂｅ、ｃｅ、Ｍｅとする。
【００２１】
編集装置は操作卓やキーボード、マウス等の入力部から編集開始を指示されると、接続された全カメラレコーダから現在のタイムコードをそれぞれａｅ、ｂｅ、ｃｅ、Ｍｅとして同時に読み出す。すなわち、演算処理部４０３が各カメラレコーダのタイムコード更新手段内のタイムコードを読み出してメモリに保持する。また、このタイミング（他のタイミングでもよい）で、各カメラレコーダのタイムコード記憶手段から、開始タイムコードを読み出してメモリに保持する。
【００２２】
今、ＶＭのタイムコードＭ１からＭ１’までのシーンではＶｂの映像を使うとする。まず、それぞれのカメラレコーダから書き換えられた瞬間のタイムコードと撮影終了時、あるいは編集装置が全てのカメラレコーダを接続し終えて編集を開始する瞬間のタイムコードを演算処理部４０３内のメモリに記憶するように操作制御部４０２が指示を出す。各タイムコードが演算処理部４０３に記憶されたら、（式１）を用いた以下の２式、
（Ｍｅ−Ｍ０）：（Ｍ１−Ｍ０）＝（ｂｅ−ｂ０）：（ｂ１−ｂ０）    （式２）
（Ｍｅ−Ｍ０）：（Ｍ１’−Ｍ０）＝（ｂｅ−ｂ０）：（ｂ１’−ｂ０）    （式３）
を満たすｂ１、ｂ１’を計算するように操作制御部４０２が演算処理部４０３に指示を出す。その指示を受け演算処理部４０３は、（式２）、（式３）の演算を実行する。その演算結果として得られたｂ１、ｂ１’を映像Ｖｂの編集点（ＩＮ点、ＯＵＴ点）として記憶装置４０４に記憶させる。
【００２３】
同様にして、ＶＭのタイムコードＭ２からＭ２’までのシーンではＶｃの映像を使うとすると、
（Ｍｅ−Ｍ０）：（Ｍ２−Ｍ０）＝（ｃｅ−ｃ０）：（ｃ２−ｃ０）    （式４）
（Ｍｅ−Ｍ０）：（Ｍ２’−Ｍ０）＝（ｃｅ−ｃ０）：（ｃ２’−ｃ０）    （式５）
を満たすようなｃ２、ｃ２’を演算処理部４０３が操作制御部４０２の指示を受け演算し、その結果を編集点として記憶装置４０４に記憶させる。このような操作をすることで各スレーブカメラの映像を、マスターカメラのタイムコードを基準として補正した編集点を用いて１つの映像として編集することが可能である。
【００２４】
なお、マスターカメラ１０１がさらにタイムコード書き換えボタン３０４と、タイムコード書き換え指示部３０３と、タイムコード処理部２０３内部にタイムコード書き換え手段３０５とタイムコード更新手段３０６とタイムコード記憶手段３０７とを有し、またスレーブカメラ１０２がさらに制御部２０２と、タイムコード処理部３０２内部にタイムコード更新手段２０４とタイムコード更新手段２０５とを有している場合、マスターカメラ１０１とスレーブカメラ１０２とは同一の構成となる。この場合、マスターカメラ１０１内部のタイムコード更新手段２０５と、スレーブカメラ１０２内部のタイムコード更新手段３０６とは、カメラレコーダ自身がもつタイムコードを更新する手段としては同等の手段として扱ってもかまわない。したがって、図１に示す撮影システム内でマスターカメラ１０１とスレーブカメラ１０２を任意に入れ替えても本実施の形態を構成することが可能である。２台のカメラレコーダＡ、Ｂで構成される撮影システムの場合、各カメラレコーダをケーブル１０３で接続したときに、カメラレコーダＡにタイムコード書き換え指示を送ったとすると、図１に示している構成においては、カメラレコーダＡはスレーブカメラ１０２、カメラレコーダＢはマスターカメラ１０１となる。さらに、前述のことが可能であることから、図５の編集の構成において基準のタイムコードをもつカメラレコーダがカメラレコーダＭである必要はなく、カメラレコーダＣをマスターカメラ１０１として扱うときは、カメラレコーダＣとカメラレコーダＡ、Ｂ、Ｍとをそれぞれ順次ケーブル１０３で接続し、タイムコード書き換えボタン３０４を押下する。撮影した映像のタイムコードを補正して編集する場合は、（式２）、（式３）のＭをｃと置き換えるように編集装置４０１内部の操作制御部４０２に指示をする。また、用いる映像を撮影したカメラレコーダをＡとすると、同様に（式２）、（式３）のｃをａと置き換える指示を操作制御部４０２に指示をすることで、カメラレコーダＣをマスターカメラ１０１とした映像が編集され、記憶装置４０４に記憶される。
【００２５】
また、本実施の形態において基準となるタイムコードを発生するマスターカメラ１０１は必ずしもカメラレコーダである必要はなく、図６に示すように例えば、タイムコード発生部とタイムコード送信部とを備え、タイムコードを発生することができるタイムコード発生器６０１のような装置であれば本実施の形態を構成することができる。前述の撮影システムで撮影された映像を編集する場合、タイムコード発生器６０１、もしくは撮影システム内の任意のカメラレコーダに記憶されたタイムコードをＭｅとすることでタイムコードの補正処理が可能となる。
【００２６】
あるいは、図７のようにマスターカメラ１０１と各スレーブカメラ１０２との間にハブ７０１のような信号中継器を接続することで、一度に複数台のスレーブカメラ１０２のタイムコードをマスターカメラ１０１のタイムコードに書き換えることが可能である。
【００２７】
本実施の形態においては、各カメラレコーダはケーブルを用いて接続することで互いに通信することとしたが、無線にて通信するように構成してもよい。
【産業上の利用可能性】
【００２８】
本発明の撮影システムによれば、機動性を損なうことなく撮影が可能であり、もし各カメラレコーダ間でタイムコードに差異際が生じた場合でも補正して編集できるため、カメラレコーダ同士が離れた位置から撮影を行うシステム等や、タイムコードを利用してその映像データの編集をする編集装置等に適用可能である。
【図面の簡単な説明】
【００２９】
【図１】本発明の実施の形態における撮影システムの構成図
【図２】本発明の実施の形態におけるマスターカメラの構成図
【図３】本発明の実施の形態におけるスレーブカメラの構成図
【図４】本発明の実施の形態における撮影システムのタイムコードの流れを示した図
【図５】本発明の実施の形態１における撮影システムのカメラレコーダを用いた編集システムの構成図
【図６】マスターカメラの代わりにタイムコード発生器を用いた場合の撮影システムの構成図
【図７】マスターカメラとスレーブカメラとをハブを用いて１対複数で接続した場合の撮影システムの構成図
【符号の説明】
【００３０】
１０１・・・マスターカメラ
１０２・・・スレーブカメラ
１０３・・・ケーブル
２０１・・・通信部
２０２・・・制御部
２０３・・・マスターカメラ１０１内部のタイムコード処理部
２０４・・・タイムコード生成手段
２０５・・・マスターカメラ１０１内部のタイムコード更新手段
３０１・・・通信部
３０２・・・スレーブカメラ１０２タイムコード処理部
３０３・・・タイムコード書き換え指示部
３０４・・・タイムコード書き換えボタン
３０５・・・タイムコード書き換え手段
３０６・・・スレーブカメラ１０２内部のタイムコード更新手段
３０７・・・タイムコード記憶手段
４０１・・・編集装置
４０２・・・操作制御部
４０３・・・演算処理部
４０４・・・記憶装置
５０１・・・タイムコード発生器
６０１・・・ハブ
【図１】
2006311039.tif 000003
【図２】
2006311039.tif 000004
【図３】
2006311039.tif 000005
【図４】
2006311039.tif 000006
【図５】
2006311039.tif 000007
【図６】
2006311039.tif 000008
【図７】
2006311039.tif 000009